(57)【要約】  以下の特徴を有するデジタルブックを取得する方法およびシステムが開示される。カメラによってスキャンされたブックは、実際のブック（表紙、内容）と同じ外観を有し、ブックの内容はシステムによって暗号化されているので、データ漏洩に関して安全である。更に、仮にユーザデバイスを紛失しても、ブックのファイルが暗号化されているので、このユーザデバイス内のファイルを読み出そうとする人物がデータを読むことはできない。ファイルは、本発明のみに適したアプリケーションによってのみ読むことができる。スキャンの間、システムは、ブックがその実際の配置に基づいて自動的に配置されるように、ユーザが干渉する必要なく、コードを自動的に読み取る。最初のページがスキャンされると、ブックは最初のページおよび（最後にスキャンされた）次のページをデジタル的に表示する。ブックは、仲間のユーザによっても使用可能であり（共用機能）、システムによって後で検出される特別なステッカを用いてタグ付け／グループ分けが可能である。上級バージョンでは、ブックはデジタル的に編集可能である。
2017536588.tif 000002
【特許請求の範囲】
【請求項１】
以下のもので構成されるブックと、
認証、かつブックを示す特別なＩＤ（ｉｄｅｎｔｉｆｉｃａｔｉｏｎ）として機能するブックコード、
常に最初の桁が文字Ａで始まり、最後の桁が文字Ｚである６桁の文字で構成され、残りの４文字／桁は、ページスキャンニングの間、ページオートメーションを設定するシステムと相互に関連するコードを示すスペシャルコード、
前記ブック上のページ要素であり、前記ブックの識別子として機能する四角形のコードであるページマーカとしてのページコード、
デジタル的にコピーするスキャナ、
スキャナによってスキャンされた後、前記ブックを読み込むブックリーダと、
以下の機能を有するウェブサーバと、
アプリケーションが動作する第１の時間の間に認証する認証機能、
ユーザがこのアプリケーションを使用することができるように、ユーザ名およびパスワードを作成するように機能する登録機能、
インターネットを介して前記ブックを読み込むオンラインブックリーダ機能
各ユーザのブックデータを保管するために用いられ、ユーザがデバイスを変変しても特定の時間まで、自身のデータを失わないクラウドストレージと、
オートメーションプロセスの頭脳であるバックエンドサーバと、
ブックコード、ブック設定、ページ、データユーザ、ブックグループ分けおよび他の多くのものから、全てのブックデータベースを設定するデータベースと、
で構成されるデジタルブックシステム。
【請求項２】
前記ブックコードは、固有であり、１つのブックのみによって所有され、前記システム内において同一の複数のブックコードが存在しない請求項１に記載のデジタルブックシステム。
【請求項３】
前記ブックコードは、英数字の形態の最小限５×３個のコードで構成され、該コードの最初の５桁は、前記ブックの表紙を決定する請求項２に記載のデジタルブックシステム。
【請求項４】
前記ページコードは、前記ブックページを示す番号の形態である請求項１に記載のデジタルブックシステム。
【請求項５】
前記バックエンドサーバは、イメージコードをスキャンするように機能し、イメージスキャン結果は、アプリケーションによってサーバに送信され、作成されたイメージを処理し、既存の文字／コードと比較して、書き込まれた文字／コードを取得することにより翻訳される請求項１に記載のデジタルブックシステム。
【請求項６】
前記バックエンドサーバは、前記コードを取得した後、前記ユーザが前記ブックをスキャンする場合、ページオートメーションとしても機能し、前記バックエンドサーバは、関連するページに基づいて自動的なブック設定を命令する請求項１に記載のデジタルブックシステム。
【請求項７】
使用されるデータベースは、ＭＹＳＱ１およびＳＱＬである請求項１に記載のデジタルブックシステム。
【請求項８】
以下の段階で構成されるデジタルブックを取得する方法であって、
オフライントゥオンラインでブックを購入する段階であって、前記ブック中にアプリケーションメニューに書き込まれるべきブックコードが存在する段階、
前記ブックコードを入力する段階、
登録ウェブ上でアプリケーションを使用する前に、ユーザ名およびパスワードを登録する段階、
前記ウェブに参加する段階であって、ユーザ名およびパスワードを取得して、前記アプリケーションにログインする段階、
前記アプリケーションをダウンロードする段階、
設定メニューを入力することにより、前記アプリケーションを介して前記サーバにログインする段階、
ユーザ名およびパスワードを入力する段階、
「ホーム」を選択することによってメインメニューに戻る段階。
【請求項９】
請求項２に記載のデジタルブックを取得する方法であって、更に、新規のブックを書き込むために、メインページにおいて「プラス」ボタンを選択する段階と、前記ブックコードおよびそのタイトルを入力する段階とを備える方法。
【請求項１０】
請求項２に記載のデジタルブックを取得する方法であって、前記ブックコードが書き込まれ、メインメニューに戻る間、購入された前記ブックの前記表紙がブックシェルフ表示において見ることができる方法。
【発明の詳細な説明】
【技術分野】
【０００１】
本発明は、デジタルブックに関し、特に、移動電話、タブレット型コンピュータ、ラップトップのような携帯型デバイス上でアクセスすることができるデジタルブックサービスに関する。
【背景技術】
【０００２】
デジタルブックは、ｅブックまたは電子ブックとも呼ばれ得る。デジタルブックは、例えば、コンピュータ（ＰＣ／ラップトップ）、ＰＣタブレット、スマートフォンのような電子メディアを介して開くことができるブックの一形態である。デジタルブックは、ＰＤＦ（Ｐｏｒｔａｂｌｅ  Ｄｏｃｕｍｅｎｔ  Ｆｏｒｍａｔ）、Ｍｉｃｒｏｓｏｆｔ  Ｏｆｆｉｃｅ（登録商標）、．ｈｔｍ形式、．ｅｘｅ形式のような様々のファイル形式を有する。
【０００３】
今日のテクノロジー時代において、デジタルブック（ｅブック）は、手作業でブックを印刷する際の費用を節約することに加えて、著者が作品を発表するための手段であり、ｅブックは、地球温暖化への影響を最小にする手段でもある。１つのブックのみを印刷するときの状況を算出すると、例えば、各々８０枚のシートを有する１，０００冊の場合、８０枚×１，０００冊で８０，０００枚の紙となる。この世界の何人の著者が自身のブックを手作業で出版したであろうか？如何に莫大な量の紙を我々が使用し、如何に莫大な量のインクを我々が消費し、如何に莫大な量の電力を我々が消費したか？紙およびインク工場が引き起こした公害についても考えたか？実際、我々がブック中で利益、メッセージおよび見識を得る場所を定めるものは、その内容のみである。現在、大部分のインドネシア人は、コンピュータ、タブレットおよびスマートフォンを所有しており、ブックで一杯になった大きなバッグを至る所に運ぶ代わりに、スマートフォンまたはタブレットで、ブックを読むことが実際的ではないだろうか？
【０００４】
ノートブックまたは図画ブックのユーザは、ブックを集めて保管することを非常に好む。ブックの全てを書き尽した後でも、彼らは依然それらを保管する。これは、彼らが将来ブックを必要とするからであり、例えば、４年生は、数年後の国家試験のためにブックを必要とする。しかしながら、ブックを保管する場合、結局は、ブックの量が増えて、大きな保管場所を必要とする。更に、ブックを高湿度の部屋で保管すると、ブックは容易にダメージを受け、かびが生え、小さい虫に食われる。ブックをデジタル化することが、その解決策である。
【発明の概要】
【発明が解決しようとする課題】
【０００５】
本発明のブックは、通常のブックと類似した機能を有するノートブックであるが、デジタル化のため、本発明に適したシステム（アセントピーク（Ａｓｃｅｎｔｐｅａｋ）システムと呼ばれる）によって、後に翻訳されるスペシャルコードを有する。
【０００６】
本発明の目的は、前記システムによって内容が暗号化されて、データ漏洩が防止されるデジタルブックを提供することにある。
【０００７】
本発明の他の目的は、携帯型デバイス（スマートフォン、タブレット型コンピュータ等）にインストールすることができ、仮にデバイスを紛失しても、ブックのファイルが暗号化されていることで、ユーザデバイス内のファイルを読み出そうとする人物がデータを読むことができないデジタルブックシステムを提供することにある。
【０００８】
本発明の特色は以下の通りである。カメラによってスキャンされたブックは、その実際のブック（表紙、内容）と類似した外観を有する。その内容は、システムによって暗号化されるので、データ漏洩に関して安全であり、仮にユーザデバイスを紛失しても、ブックのファイルが暗号化されていることで、このユーザデバイスでファイルを読み出そうとする人物がデータを読むことができない。ファイルは、本発明のアプリケーションによってのみ読むことができる。スキャンの間、システムは、ブックがその実際の配置に基づいて自動的に配置されるように、ユーザが干渉する必要なく、コードを自動的に読み取る。最初のページがスキャンされると、ブックは最初のページおよび（最後にスキャンされた）次のページをデジタル的に表示する。ブックは仲間のユーザによっても使用可能であり（共用機能）、システムによって後で検出される特別なステッカを用いてタグ付け／グループ分けが可能である。上級バージョンでは、ブックはデジタル的に編集可能である。
【図面の簡単な説明】
【０００９】
本発明を理解し、かつ本発明が実際にはどのように実施され得るかについて認識するために、添付の図面を参照することにより、幾つかの実施形態が示される。
【００１０】
【図１】図１は、本発明のデジタルブックシステムを示す。
【００１１】
【図２】図２は、本発明のデジタルブックの一部である。
【発明を実施するための形態】
【００１２】
図１は、本発明のデジタルブックシステムを示す。ここで、本発明の使用方法は、以下の通りである。本発明に適したアプリケーション（アセントピーク（ａｓｃｅｎｔｐｅａｋ）と呼ばれる）を使用することができるように、ユーザは、本発明のブックを（オフライントゥオンラインで）購入する必要がある。ブックは、本発明のアプリケーションに書き込まれるべき複数のブックコードを備える。
【００１３】
それから、ユーザは、まず、本発明のアプリケーション（アセントピークと呼ばれる）を使用する前に、アプリケーション登録ウェブ（ｈｔｔｐ：／／ｗｗｗ．ａｓｃｅｎｔｐｅａｋ．ｃｏｍ／ｒｅｇｉｓｔｅｒ）に自身のユーザ名とパスワードとを登録する必要がある。このアプリケーションウェブに登録した後、ユーザは、本発明のアプリケーションにログインするためのユーザ名とパスワードとを取得する。
【００１４】
また、ユーザは、このアプリケーションをＧｏｏｇｌｅ  ＰｌａｙまたはＡｐｐｌｅ  Ｓｔｏｒｅでダウンロードする。それをダウンロードした後、ユーザは自身の携帯型デバイスにおいて、本発明に適したアプリケーションを開き、設定メニューにおいて、本発明のアプリケーションを介してサーバにログインする。ログインおよびパスワードを入力した後、ホームを選択することによってメインメニューに戻る。新規のブックを書き込むために、メインページにおいて「プラス」ボタンを選択して、購入したブックコードおよびブックタイトルを入力する。タイトルは、ユーザがブックを覚えておくことを容易にするために用いられる。コードが書き込まれ、メインメニューに戻るまで、購入されたブックの表紙は、ブックシェルフ表示において見ることができる。ブックの内容を入力して読むために、ブックのイメージを選択することで、内容が表示される。事前に内容が挿入されない場合、「ページを追加」を選択することで、ユーザは、ブックスキャンメニューに至り、関連するブックをスキャンする。表示が正しく、内容が読み込まれ、本発明に適したアプリケーション（アセントピークと呼ばれる）において読むことができる場合、ＯＫを選択する。
【００１５】
一方、図２は、以下から構成される本発明に適したデジタルブックの一部を示す。
【００１６】
１．ブックコード
ブックコードは、認証、かつブックを示す特別なＩＤ（ｉｄｅｎｔｉｆｉｃａｔｉｏｎ）として機能する。ブックコードは、固有であり、１つのブックのみによって所有される。したがって、システム内において複数のブック用に同一のコードは存在しない。ブックコードは、固有であり、１つのブックのみによって所有される。このコードによって、我々は、使用すべきブックのタイトルをマッピングすることができる。コードは、英数字かつ大文字と小文字とが区別された形態の最小限５×３個のコードで構成される。コードの最初の５桁は、ブックの表紙も決定する。例えば、以下から構成されるａｂｃｄｆ−２３４ｊｈ−３４ｉｕＧである。
●スペシャルコード
スペシャルコードは、常に最初の桁が文字Ａで始まり、最後の桁が文字Ｚである６桁の文字で構成される。残りの４文字／桁は、ページをスキャンする間、ページオートメーションを設定するシステムと相互に関連するコードを示す。このコードは、文字コードであり、大文字を使用している。例えば、ＡＳＴＡＣＺである。
●ページコード
このコードは、ブック上のページ要素であり、丁度、通常のブックにおけるページを示すようなもの（ｐａｇｅ  ｓｉｇｎｉｆｉｅｒ）である。システムでは、この部分は、スペシャルコードと比較される。このコードは、ブックのページを示す番号の形態である。例えば、１１である。
●ページマーカ
ページマーカは、ブックの識別子として機能することで、ブックがシステムによって認識される四角形のコードである。
【００１７】
２．アプリケーション
本発明に適したアプリケーションは、２つのプラットホーム、すなわち、ＡｎｄｒｏｉｄおよびｉＯＳ（Ａｐｐｌｅ）に対して作成された携帯型アプリケーションである。このアプリケーションは、以下のように機能する。
−ブックシェルフ
これは、所有する綺麗に配置されたブックのリストとして認識されるメインディスプレイである。
−スキャナ
このアプリケーションの場合、ブックは、セキュリティのために、このアプリケーションを用いることによってのみ読むことができる。
【００１８】
３．インターネット
本発明のシステムにおいて、データをサーバから取得できるように、オンライン接続を必要とするので、インターネットは、携帯型デバイスまたは本発明のサーバの双方において使用される。
【００１９】
４．ファイアウォール
ファイアウォールは、ウイルスまたはデータ漏洩のような外乱を受けないように、サーバセキュリティとして使用される。
【００２０】
５．ウェブサーバ
このシステムにおけるウェブサーバは、いくつかの機能を有する。
●認証
本発明に適したアプリケーションが実行される第１の時間の間、アプリケーションは、サーバに接続することを試みる。したがって、アプリケーションがそのユーザによって登録されたか否かについて、本発明のアプリケーション（アセントピークアプリケーションと呼ばれる）とウェブサーバとの間でやり取り（ｖｉｂｒａｔｉｏｎ）がある。仮に登録されていない場合、アプリケーションは、そのユーザに登録ウェブで登録することを強制する。ユーザが登録されている場合、アプリケーションは、バックエンドサーバによって、ブックデータとユーザブックコーダとを同期させることを試み、ダウンロードされていないブックをダウンロードすることにより、ブックをオンラインおよびオフラインで読むことができる。
●登録
この登録は、ユーザがアセントピークアプリケーションを使用することができるように、ユーザおよびパスワードを作成するように機能する。登録の際、ユーザは、名前、電子メールアドレス、希望するユーザ名、パスワードのような幾つかのデータを書き込むことが要求される。この登録ウェブは、市場の要求に従って作成され得る。
●オンラインブックリーダ
携帯型デバイスにおいて読むことができることに加えて、このオンラインブックは、コンピュータ（ノートブック／デスクトップ）を用いて、それらのウェブを介しても読むことができる。また、このウェブは、ブックシェアのような追加的な特徴を設定するために用いられる。
【００２１】
ｐｈｐプログラミング言語がよりオープンなシステムを有するので、このウェブアプリケーションの多くは、それを用いて開発される。
【００２２】
６．クラウドストレージ
このクラウドストレージは、各ユーザのブックデータを保管するために用いられるため、ユーザがデバイスを変更しても、ユーザは自身のデータを失わない。何故ならば、全てのブックが特定の制限時間（関連するブックの契約条件に従って）までクラウドストレージに保管されるからである。上級のブックユーザのために、保管の時間制限は、要求／使用料に従って延長され得る。
【００２３】
７．バックエンドサーバ
このバックエンドサーバは、全てのシステムオートメーションプロセスの頭脳である。
●イメージコードスキャニング
これは、アセントピークシステムの最重要部分である。アセントピークアプリケーションによってサーバに送信されたイメージは、作成されたイメージを処理し、それを既存の文字／コードと比較して、書き込まれた文字／コードを取得することにより翻訳される。この原理は、最も近い結果を得るためのグループ分け／タグ付けのプロセスにも適用することができる。
●ページオートメーション
ユーザが本発明に適したブック（Ｏ２Ｏブックと呼ばれる）をスキャンする場合、コードを取得した後、バックエンドサーバは、関連するページに基づいて自動的なブック設定を命令し、それをクラウドストレージへコピーし、更にクラウドストレージからページを取得するようにアセントピークアプリケーションに命令する。
●データベース
この部分は、ブックコード、ブック設定、ページ、ユーザデータ、ブックグループ分けおよび他の多くのものから、全てのブックデータベースを設定する。使用されるデータベースは、ＭＹＳＱ１であるが、データにアクセスするユーザの数に応じて、データベースに適したＳＱＬと置き替えられ得る。
●設定
この部分は、ファイルおよびブック内容を、そのクラウドストレージ部分に保管する場所の設定を実行する。
【００２４】
例示の実施形態は、特に図面を参照して記述されている。形態および詳細における様々の変更は、添付の請求の範囲に規定される発明の概念の原理および範囲から逸脱することなく、その中で創作可能なことは、当業者によって理解される。例示的な実施形態は、説明目的のみであって、限定を目的とするものではないと考えられるべきことを意図している。したがって、本発明の範囲は、実施形態の詳細な説明ではなく、添付の請求の範囲によって規定されるものであり、範囲における全ての相違点は、本発明に包含されるものとして説明される。
【図１】
2017536588.tif 000003
【図２】
2017536588.tif 000004
【国際調査報告】
2017536588.tif 000005